(57)【特許請求の範囲】
【請求項１】
楽曲データと該楽曲データに関連した文字データである付加情報とを記憶した外部メディアを接続し、該楽曲データを再生すると共に、該付加情報を表示部に表示するオーディオ装置において、
外部表示装置と接続する接続部と、
前記表示部が表示処理可能な文字コードを記憶した第１記憶部と、
前記付加情報の文字コードと前記記憶部に記憶された文字コードとを比較して、前記表示部に表示できない付加情報を抽出し、該抽出した付加情報を前記外部表示装置に転送する制御部と、
を備えることを特徴とするオーディオ装置。
【請求項２】
前記外部表示装置は、表示処理可能な文字コードを記憶した第２記憶部を備え、
前記制御部は、前記第２記憶部から表示処理可能な文字コードを受信し、前記表示部に表示できない付加情報の文字コードが、前記第２記憶部から表示処理可能な文字コードと一致したとき、該付加情報を前記外部表示装置に転送する、
ことを特徴とする請求項１記載のオーディオ装置。
【発明の詳細な説明】
【技術分野】
【０００１】
本発明は、オーディオ装置に関し、特に、楽曲データと該楽曲データに関連した文字データである付加情報とを記憶した外部メディアを接続し、該楽曲データを再生すると共に、該付加情報を表示部に表示するオーディオ装置に関する。
【背景技術】
【０００２】
近年、車載用オーディオ機器等の再生装置において、ＭＰ３やＷＭＡ等の圧縮フォーマットの楽曲ファイルを記憶した外部メディア（ＵＳＢメモリ、ＳＤカード等）と接続し、これらの楽曲ファイルを外部メディアから読み出して再生することが可能となっている。
【０００３】
この種の楽曲ファイルは、音声情報である楽曲データと、ＩＤ３タグと称される楽曲データについての付加情報で構成され、通常、付加情報は、アーティスト名や曲名等の文字情報が記憶されている。
【０００４】
このような楽曲ファイルの楽曲データを再生する場合、当該楽曲データに付随する付加情報が再生装置に備えられた表示部によって表示されることになり、ユーザは、再生される楽曲についての曲名等を知ることができる。
【０００５】
表示部における表示の態様には、種々のものがあり、例えば、ユニコードやＪＩＳコード等のアルファベット、数字、仮名を表現する文字コードが表示処理可能な表示部（ドット型ディスプレイ）や、ＡＳＣＩＩコード等のアルファベット、数字のみを表現する文字コードが表示処理可能な表示部（セグメント型ディスプレイ）がある。
【０００６】
ところで、このような付加情報は、曲名等の文字コードを任意に加工することができる。その場合、例えば、曲名等の文字がユニコードで格納されていた場合、セグメント型ディスプレイでは当該文字を表示することができない。従って、そのような場合は、「Ｎｏ−Ｓｕｐｐｏｒｔ」等の表示を行うことによって、曲名等を表示することができない旨をユーザに通知するようになっていた。
【０００７】
上記課題を解決する従来技術として、接続状態にある携帯オーディオ機器から読み取ったオーディオデータに対応する楽曲情報データをもとに、携帯オーディオ機器で表示可能な形式の送出用画像データを生成する表示生成部と、表示生成部が生成した送出用画像データを、接続状態にある携帯オーディオ機器に送出する通信部とを備えた車載用オーディオ装置がある（特許文献１参照）。
【特許文献１】特願２００６−３３３４００号
【発明の開示】
【発明が解決しようとする課題】
【０００８】
上記従来技術によれば、車載用オーディオ装置が、接続状態にある携帯オーディオ機器から読み取った楽曲データに対応する楽曲情報をもとに、携帯オーディオ機器で表示可能な形式の画像を生成して携帯オーディオ機器に送出するため、車載用オーディオ装置の表示部の態様に依存することなく、楽曲情報をユーザに表示することができる。しかしながら、上記従来技術では、ＵＳＢメモリ等の表示部を有さない外部メディアに記憶された楽曲データに関連する楽曲情報を表示する際には対応できなかった。
【０００９】
本発明の目的は、ＵＳＢメモリ等の表示部を有さない外部メディアに記憶された楽曲データに関連する楽曲情報をオーディオ装置の表示部の態様に依存することなく表示することができるオーディオ装置を提供することである。
【課題を解決するための手段】
【００１０】
本発明は、楽曲データと該楽曲データに関連した文字データである付加情報とを記憶した外部メディアを接続し、該楽曲データを再生すると共に、該付加情報を表示部に表示するオーディオ装置であり、外部表示装置と接続する接続部と、前記表示部が表示処理可能な文字コードを記憶した第１記憶部と、前記付加情報の文字コードと前記記憶部に記憶された文字コードとを比較して、前記表示部に表示できない付加情報を抽出し、該抽出した付加情報を前記外部表示装置に転送する制御部とを備えている。
【００１１】
上記オーディオ装置において、前記外部表示装置は、表示処理可能な文字コードを記憶した第２記憶部を備え、前記制御部は、前記第２記憶部から表示処理可能な文字コードを受信し、前記表示部に表示できない付加情報の文字コードが、前記第２記憶部から表示処理可能な文字コードと一致したとき、該付加情報を前記外部表示装置に転送する。
【発明の効果】
【００１２】
本発明によれば、表示部にセグメント型ディスプレイなどを適用しており、外部メディアに記憶された楽曲データに関連する楽曲情報が表示部に表示できない場合でも、外部表示装置で表示可能なときには、該楽曲情報の文字データを転送するように構成したため、ユーザに対して楽曲情報を提供することができる。
【発明を実施するための最良の形態】
【００１３】
・第１実施例
図１はオーディオ装置１００の構成をＵＳＢメモリ２００と、外部表示装置３００とともに模式的に示す図である。図１ではＵＳＢメモリ２００がオーディオ装置１００にＵＳＢ接続されている状態を示している。ＵＳＢメモリ２００は、ＭＰ３（Mpeg Audio Layer-3）形式の楽曲ファイルなどが格納されている楽曲データ記憶部２１０と、楽曲データ記憶部２１０から楽曲データを読み出す制御部２２０、制御部２２０が読み出した楽曲データをオーディオ装置１００に送信する通信部２３０とにより構成される。なお、楽曲データ記憶部２１０に記憶される楽曲ファイルは、図２に示すように楽曲データと楽曲情報（タイトル、アーティスト等）から構成され、楽曲情報は、文字コードに示すコードが使用されて記憶されているものとする。
【００１４】
外部表示装置３００は、通信部３１０と、制御部３２０と、ドット型ディスプレイ３３０と、記憶部３４０とで構成される。なお、本実施例では記憶部３４０にはドット型ディスプレイ３３０で表示可能な文字コードとしてユニコード、ＪＩＳコード、ＡＳＣＩＩコードが記憶されている。
【００１５】
制御部３２０は、オーディオ装置１００より楽曲情報が通信部３１０を介して入力され、該楽曲情報の文字コードを処理してドット型ディスプレイ３３０に表示する。すなわち、入力される楽曲情報を構成する文字コード（文字データ）がユニコード、ＪＩＳコード、ＡＳＣＩＩコードである場合には、ドット型ディスプレイ３３０に楽曲情報を表示する。一方、ユニコード、ＪＩＳコード、ＡＳＣＩＩコード以外である場合には、ユニコード、ＪＩＳコード、ＡＳＣＩＩコードのいずれかを用いてドット型ディスプレイ３３０に「Ｎｏ−Ｓｕｐｐｏｒｔ」と表示する。
【００１６】
オーディオ装置１００は、オーディオ装置１００の作動を制御するための種々のプログラムが格納された制御部１１０と、通信部１２０、１３０と、データ解析部１４０と、オーディオデコーダ１５０と、アンプ１６０と、スピーカ１７０と、セグメント型ディスプレイ１８０と、セグメント型ディスプレイ１８０で表示可能な文字コードを記憶した記憶部１９０と、操作部（図示省略）とを有して構成されている。なお、本実施例では記憶部１９０にはセグメント型ディスプレイ１８０で表示可能な文字コードとしてＡＳＣＩＩコードが記憶されている。
【００１７】
データ解析部１４０は、ユーザが操作する図示しない操作部からの指令に基づき、ＵＳＢメモリ２００から楽曲データ及び該楽曲データに対応する楽曲情報を通信部１２０を介して取得する。そして、取得したデータを楽曲データと楽曲情報に分解し、楽曲データをオーディオデコーダ１５０に、楽曲情報を制御部１１０にそれぞれ入力する。オーディオデコーダ１５０は、楽曲データの圧縮オーディオ信号を伸長処理し、デジタルオーディオ信号としてアンプ１６０に出力する。アンプ１６０は、デジタルオーディオ信号を図示しないＤ／Ａ変換器でアナログのオーディオ信号に変換して増幅した後、スピーカ１７０に出力する。
【００１８】
制御部１１０は、データ解析部１４０より入力される楽曲情報について、該楽曲情報を構成する文字コードを記憶部１９０に記憶された文字コードと比較して、該楽曲情報の文字コードを特定する。楽曲情報を構成する文字コード（文字データ）がＡＳＣＩＩコードである場合には、セグメント型ディスプレイ１８０に楽曲情報を表示する。一方、ＡＳＣＩＩコード以外である場合には、該楽曲情報を通信部１３０を介して外部表示装置３００に入力するとともに、ＡＳＣＩＩコードを使用してセグメント型ディスプレイ１８０に「Ｎｏ−Ｓｕｐｐｏｒｔ」と表示する。
【００１９】
図３は、オーディオ装置１００及び外部表示装置３００の表示状態を模式的に示す図である。（Ａ）はＵＳＢメモリ２００より取得した楽曲情報の文字コードがＡＳＣＩＩコードのときの表示状態であり、（Ｂ）はＵＳＢメモリ２００より取得した楽曲情報の文字コードがユニコードまたはＪＩＳコードのときの表示状態であり、（Ｃ）はＵＳＢメモリ２００より取得した楽曲情報の文字コードが記憶部１９０に記憶されている文字コード以外のときの表示状態である。また、オーディオ装置１００のセグメントディスプレイ４０には、例えば再生中の楽曲に対応するトラック番号と、プレイタイムなどを表示することができる。これによりユーザはセグメント型ディスプレイ１８０を備えるオーディオ装置１００でも、楽曲に関連して収録されている画像を見ることができるようになる。
【００２０】
次に、オーディオ装置１００の動作を図４に示すフローチャートを用いて詳述する。なお、図４（Ａ）に示すフローチャートは図３（Ａ）の表示状態になるまでの過程に、図４（Ｂ）に示すフローチャートは図３（Ｂ）または図３（Ｃ）の表示状態になるまでの過程に対応するものである。
【００２１】
ＡＳＣＩＩコードで構成される楽曲情報を表示しようとしている場合には、ユーザ操作等に基づく再生指令のもと、図４（Ａ）に示すようにＵＳＢメモリ２００からオーディオ装置１００に楽曲データ及びこの楽曲データに関連する楽曲情報が読み取られる。制御部１１０は、読み取った楽曲情報の文字コードを記憶部１９０に記憶されている文字コードと比較してＡＳＣＩＩコードと特定する。その後、制御部１１０は、セグメント型ディスプレイ１８０にＡＳＣＩＩコードを用いて楽曲情報を表示する。これによりオーディオ装置１００及び外部表示装置３００の表示は図３（Ａ）の表示状態になる。
【００２２】
ユニコードまたはＪＩＳコードで構成される楽曲情報を表示しようとしている場合には、ユーザ操作等に基づく再生指令のもと、図４（Ｂ）に示すようにＵＳＢメモリ２００からオーディオ装置１００に楽曲データ及びこの楽曲データに関連する楽曲情報が読み取られる。制御部１１０は、読み取った楽曲情報の文字コードを記憶部１９０に記憶されている文字コードと比較してセグメント型ディスプレイ１８０で表示できない文字コードであることを特定する。その後、制御部１１０は、該楽曲情報を外部表示装置３００に送信するとともに、セグメント型ディスプレイ１８０にＡＳＣＩＩコードを用いて「Ｎｏ−Ｓｕｐｐｏｒｔ」と表示する。一方、外部表示装置３００は、受信した楽曲情報を記憶部３４０に記憶されている文字コード（ユニコード、ＪＩＳコード、ＡＳＣＩＩコード）と比較してユニコードまたはＪＩＳコードであることを特定する。その後、制御部３２０は、ドット型ディスプレイ３３０に特定した文字コード（ユニコードまたはＪＩＳコード）を用いて楽曲情報を表示する。これによりオーディオ装置１００及び外部表示装置３００の表示は図３（Ｂ）の表示状態になる。また、外部表示装置３００が、受信した楽曲情報の文字コードを特定できなかったときには、制御部３２０からの指示によりユニコード、ＪＩＳコード、ＡＳＣＩＩコードのいずれかを用いてドット型ディスプレイ３３０に「Ｎｏ−Ｓｕｐｐｏｒｔ」を表示する。この場合には、オーディオ装置１００及び外部表示装置３００の表示は図３（Ｃ）の表示状態になる。
【００２３】
上記処理によれば、表示部にセグメント型ディスプレイなどを適用しており、外部メディアに記憶された楽曲データに関連する楽曲情報が表示部に表示できない場合でも、外部表示装置で表示可能なときには、該楽曲情報の文字データを転送するように構成したため、ユーザに対して楽曲情報を提供することができるようになる。
【００２４】
・第２実施例
第２実施例に係るオーディオ装置１００、ＵＳＢメモリ２００、外部表示装置３００の構成は第１実施例（図１）と同様であるが、外部表示装置３００がオーディオ装置１００に接続された際、制御部３２０は、記憶部３４０より文字コードデータ（ユニコード、ＪＩＳコード、ＡＳＣＩＩコード）を読み出して通信部３１０を会して制御部１１０に入力し、制御部１１０は、外部表示装置３００より入力される文字コードデータを記憶部１９０に記憶する点が第１実施例と異なる。従って、第２実施例において、記憶部１９０にはユニコード、ＪＩＳコード、ＡＳＣＩＩコードが記憶される。
【００２５】
次に、制御部１１０は、データ解析部１４０より入力される楽曲情報について、該楽曲情報を構成する文字コードを記憶部１９０に記憶された文字コードと比較して、該楽曲情報の文字コードを特定する。楽曲情報を構成する文字コード（文字データ）がＡＳＣＩＩコードである場合には、セグメント型ディスプレイ１８０に楽曲情報を表示する。一方、ユニコード、ＪＩＳコードである場合には、外部表示装置３００に表示するため、該楽曲情報を通信部１３０を介して外部表示装置３００に入力する。また、該楽曲情報の文字コードが特定できない場合には、ＡＳＣＩＩコードを使用してセグメント型ディスプレイ１８０に「Ｎｏ−Ｓｕｐｐｏｒｔ」と表示する。
【００２６】
図５は、オーディオ装置１００及び外部表示装置３００の表示状態を模式的に示す図である。（Ａ）はＵＳＢメモリ２００より取得した楽曲情報の文字コードがＡＳＣＩＩコードのときの表示状態であり、（Ｂ）はＵＳＢメモリ２００より取得した楽曲情報の文字コードがユニコードまたはＪＩＳコードのときの表示状態であり、（Ｃ）はＵＳＢメモリ２００より取得した楽曲情報の文字コードが記憶部１９０に記憶されている文字コード以外のときの表示状態である。また、オーディオ装置１００のセグメントディスプレイ１８０には、例えば再生中の楽曲に対応するトラック番号と、プレイタイムなどを表示することができる。これによりユーザはセグメント型ディスプレイ１８０を備えるオーディオ装置１００でも、楽曲に関連して収録されている画像を見ることができるようになる。
【００２７】
次に、オーディオ装置１００の動作を図６に示すフローチャートを用いて詳述する。なお、図６（Ａ）に示すフローチャートは図５（Ａ）の表示状態になるまでの過程に、図６（Ｂ）に示すフローチャートは図５（Ｂ）の表示状態になるまでの過程に、図６（Ｃ）に示すフローチャートは図５（Ｃ）の表示状態になるまでの過程に対応するものである。
【００２８】
ＡＳＣＩＩコードで構成される楽曲情報を表示しようとしている場合には、ユーザ操作等に基づく再生指令のもと、図６（Ａ）に示すようにＵＳＢメモリ２００からオーディオ装置１００に楽曲データ及びこの楽曲データに関連する楽曲情報が読み取られる。制御部１１０は、読み取った楽曲情報の文字コードを記憶部１９０に記憶されている文字コードと比較してＡＳＣＩＩコードと特定する。その後、制御部１１０は、該楽曲情報を外部表示装置３００に送信するとともに、セグメント型ディスプレイ１８０にＡＳＣＩＩコードを用いて楽曲情報を表示する。また、外部表示装置３００は、受信した楽曲情報を記憶部３４０に記憶されている文字コード（ＡＳＣＩＩコード）を用いて表示する。これによりオーディオ装置１００及び外部表示装置３００の表示は図５（Ａ）の表示状態になる。
【００２９】
ユニコードまたはＪＩＳコードで構成される楽曲情報を表示しようとしている場合には、ユーザ操作等に基づく再生指令のもと、図６（Ｂ）に示すようにＵＳＢメモリ２００からオーディオ装置１００に楽曲データ及びこの楽曲データに関連する楽曲情報が読み取られる。制御部１１０は、読み取った楽曲情報の文字コードを記憶部１９０に記憶されている文字コードと比較してユニコードまたはＪＩＳコードと特定する。その後、制御部１１０は、該楽曲情報を外部表示装置３００に送信するとともに、セグメント型ディスプレイ１８０にＡＳＣＩＩコードを用いて「Ｎｏ−Ｓｕｐｐｏｒｔ」と表示する。また、外部表示装置３００は、受信した楽曲情報を記憶部３４０に記憶されている文字コード（ユニコードまたはＪＩＳコード）を用いて表示する。これによりオーディオ装置１００及び外部表示装置３００の表示は図５（Ｂ）の表示状態になる。
【００３０】
記憶部１９０に記憶されている文字コード以外で構成される楽曲情報を表示しようとしている場合には、ユーザ操作等に基づく再生指令のもと、図６（Ｃ）に示すようにＵＳＢメモリ２００からオーディオ装置１００に楽曲データ及びこの楽曲データに関連する楽曲情報が読み取られる。制御部１１０は、読み取った楽曲情報の文字コードを記憶部１９０に記憶されている文字コードと比較してセグメント型ディスプレイ１８０及び外部表示装置３００で表示できない文字コードであることを特定する。その後、制御部１１０は「Ｎｏ−Ｓｕｐｐｏｒｔ」表示するように外部表示装置３００に指示するとともに、セグメント型ディスプレイ１８０にＡＳＣＩＩコードを用いて「Ｎｏ−Ｓｕｐｐｏｒｔ」を表示する。また、外部表示装置３００は、制御部１１０からの指示によりユニコード、ＪＩＳコード、ＡＳＣＩＩコードのいずれかを用いて「Ｎｏ−Ｓｕｐｐｏｒｔ」を表示する。これによりオーディオ装置１００及び外部表示装置３００の表示は図５（Ｃ）の表示状態になる。
【００３１】
上記処理によれば、表示部にセグメント型ディスプレイなどを適用しており、外部メディアに記憶された楽曲データに関連する楽曲情報が表示部に表示できない場合でも、外部表示装置で表示可能なときには、該楽曲情報の文字データを転送するように構成したため、ユーザに対して楽曲情報を提供することができるようになる。
【００３２】
上述した実施例は本発明の好適な実施の例である。但し、これに限定されるものではなく、本発明の要旨を逸脱しない範囲内において種々変形して実施可能である。例えば本発明はオーディオ装置の表示部にセグメント型ディスプレイが適用されている場合に特に好適であるが、これに限られず、ＬＣＤ等が適用されている場合でも実施可能である。
【図面の簡単な説明】
【００３３】
【図１】オーディオ装置１００の構成をＵＳＢメモリ２００と、外部表示装置３００とともに示す図である。
【図２】ＵＳＢメモリ２００に記憶されている楽曲情報を示す図である。
【図３】第１実施例に係るオーディオ装置１００及び外部表示装置３００の表示状態を模式的に示す図である
【図４】第１実施例に係る楽曲情報の表示処理を示すフローチャートである。
【図５】第２実施例に係るオーディオ装置１００及び外部表示装置３００の表示状態を模式的に示す図である
【図６】第２実施例に係る楽曲情報の表示処理を示すフローチャートである。
【符号の説明】
【００３４】
１００：オーディオ装置
１１０、３２０：制御部
１４０：データ解析部
１８０：セグメント型ディスプレイ
１９０、３４０：記憶部 
２００：ＵＳＢメモリ
２１０：楽曲データ記憶部
３００：外部表示装置
３３０：ドット型ディスプレイ
【図１】
0004994182.tif 000002
【図２】
0004994182.tif 000003
【図３】
0004994182.tif 000004
【図４】
0004994182.tif 000005
【図５】
0004994182.tif 000006
【図６】
0004994182.tif 000007